(57)【要約】      （修正有）【課題】発光の輝度や均一性が改善された発光装置を提供する。【解決手段】支持座１と、互いに反対する光進入面３１１と光射出面３１２とを有し、支持座１により支持される導光板３１と、導光板３１に埋め込まれて光射出面３１２に向かう第１の反射面３３１を有する少なくとも１つの第１の反射条３３と、導光板３１に対して光進入面３１１から光射出面３１２へ行進する光を発する少なくとも１つの発光素子２２を有し、支持座１により支持される発光ユニット２と、導光板３１に埋め込まれて光射出面３１２に配置されていると共に、光進入面３１１及び第１の反射面３３１に向かう少なくとも１つの第２の反射面３２１を有し、発光素子２２から発する光が第２の反射面３２１と第１の反射面３３１とにより順次に反射されて光射出面３１２で射出されるように配置構成されている第２の反射条３２とを備える。【選択図】図３
0003186405.tif 000002
【実用新案登録請求の範囲】
【請求項１】
支持座と、
互いに反対する光進入面と光射出面とを第１の方向に並ぶように前記支持座により支持される導光板と、
前記導光板に埋め込まれて前記光進入面に配置されていると共に、前記光射出面に向かう第１の反射面を有する少なくとも１つの第１の反射条と、
前記光進入面に隣接し前記導光板に対して前記光進入面から前記光射出面へ行進する光を発する少なくとも１つの発光素子を有し、前記導光板と前記第１の方向に並ぶように前記支持座により支持される発光ユニットと、
前記導光板に埋め込まれて前記光射出面に配置されていると共に、前記光進入面及び前記第１の反射面に向かう少なくとも１つの第２の反射面を有し、前記発光素子から発する光が前記第２の反射面と前記第１の反射面とにより順次に反射されて前記光射出面から射出されるように配置構成されている第２の反射条とを備える
ことを特徴とする発光装置。
【請求項２】
前記光進入面は平面であり、前記第１の反射面は前記光進入面に対して傾斜するように配置される
ことを特徴とする請求項１に記載の発光装置。
【請求項３】
前記光射出面は前記光進入面と略平行する平面であり、
前記第２の反射面は前記光進入面と前記光射出面との間に前記光進入面と前記光射出面とから離間すると共に、前記光射出面に対して傾斜するように配置されている
ことを特徴とする請求項２に記載の発光装置。
【請求項４】
前記光進入面及び前記光射出面は互いに略平行する平面であり、前記第１の反射面と前記第２の反射面とは円弧面に形成されている
ことを特徴とする請求項１に記載の発光装置。
【請求項５】
内部空間を内部に画成するように且つ前記内部空間と連通する開口を挟む一対の取付け端部を有するように形成された透明カバーを更に備え、
前記支持座には前記透明カバーの前記一対の取付け端部に対応して該一対の取付け端部を受け入れる一対のスロットが形成されており、
前記発光ユニット及び前記導光板は前記透明カバーに囲まれて前記内部空間内に収容される
ことを特徴とする請求項１に記載の発光装置。
【請求項６】
前記支持座は底壁と、互いに向き合うように該底壁から延伸する２つの側壁とを有することにより前記底壁と前記２つの側壁との間に収容空間を画成し、
前記底壁と前記２つの側壁とは前記内部空間に配置され、前記導光板は前記２つの側壁により挟まれるように前記収容空間に配置されており、前記発光ユニットは、前記収容空間内に取付けられている回路基板を更に備え、前記発光素子は、前記回路基板に取付けられている
ことを特徴とする請求項５に記載の発光装置。
【請求項７】
前記透明カバーから前記内部空間に向かって突起して前記導光板の前記第１の方向と直交する第２の方向における両側にそれぞれ連結して前記導光板を前記内部空間に保持する一対の連結プレートを更に備える
ことを特徴とする請求項５に記載の発光装置。
【請求項８】
前記一対の連結プレートはいずれも可撓性を持つ湾曲部を有している
ことを特徴とする請求項７に記載の発光装置。
【請求項９】
前記支持座の一端部に取付けられているキャップ体と、前記キャップ体に固定されていると共に、スプリングアームを有する導電接続板と、前記導電接続板と電気的に接続していると共に、前記導電接続板及び前記キャップ体を挿通するように延伸する２つの導電端子と、を更に備え、
前記発光ユニットは、前記発光素子が取付けられていると共に、前記導光板と所定のギャップを空けて配置されている回路基板を更に有しており、前記導電接続板が有する前記スプリングアームは前記所定のギャップ内に挿しこまれて前記回路基板に弾性的に当接して該回路基板に電気的に接続していることを特徴とする請求項５に記載の発光装置。
【請求項１０】
前記スプリングアームは、それぞれ湾曲して前記回路基板と前記導光板とに弾性的に当接する第１の湾曲部と第２の湾曲部とを有するように形成されている
ことを特徴とする請求項９に記載の発光装置。
【請求項１１】
前記第１の反射条と前記第２の反射条とは、前記導光板と共に押出成形で一体的に形成されている
ことを特徴とする請求項１に記載の発光装置。
【考案の詳細な説明】
【技術分野】
【０００１】
本考案は発光装置に関し、特に、導光板及び該導光板の両面にそれぞれ第１の反射条と第２の反射条とが形成されている発光装置に関する。
【背景技術】
【０００２】
従来の発光ダイオード（ＬＥＤ）発光装置は、例えば長尺状の回路基板と、該回路基板の長さ方向に沿って該回路基板に取付けられている複数の発光ダイオードモジュールと、前記複数の発光ダイオードモジュールに隣接し、且つ前記回路基板の長さ方向に対応して延伸するように配置される長尺状の導光板とを備え、前記導光板で点光源である前記複数の発光ダイオードモジュールにより発される光を案内して該導光板の光射出面から均一に射出するように構成されている。
【０００３】
しかし、このような発光装置は、更に輝度と均一性に改善の余地が残されている。
【考案の概要】
【考案が解決しようとする課題】
【０００４】
したがって、本考案は発光の輝度や均一性が改善された発光装置の提供を目的とする。
【課題を解決するための手段】
【０００５】
上記目的を達成すべく、本考案は、支持座と、互いに反対する光進入面と光射出面とを第１の方向に並ぶように前記支持座により支持される導光板と、前記導光板に埋め込まれて前記光進入面に配置されていると共に、前記光射出面に向かう第１の反射面を有する少なくとも１つの第１の反射条と、前記光進入面に隣接し前記導光板に対して前記光進入面から前記光射出面へ行進する光を発する少なくとも１つの発光素子を有し、前記導光板と前記第１の方向に並ぶように前記支持座により支持される発光ユニットと、前記導光板に埋め込まれて前記光射出面に配置されていると共に、前記光進入面及び前記第１の反射面に向かう少なくとも１つの第２の反射面を有し、前記発光素子から発する光が前記第２の反射面と前記第１の反射面とにより順次に反射されて前記光射出面から射出されるように配置構成されている第２の反射条とを備えることを特徴とする発光装置を提供する。
【０００６】
上記発光装置において、前記光進入面は平面であり、前記第１の反射面は前記光進入面に対して傾斜するように配置構成されることができる。
【０００７】
上記発光装置において、前記光射出面は前記光進入面と略平行する平面であり、前記第２の反射面は前記光進入面と前記光射出面との間に前記光進入面と前記光射出面とから離間すると共に、前記光射出面に対して傾斜するように配置構成されることができる。
【０００８】
上記発光装置において、前記光進入面及び前記光射出面は互いに略平行する平面であり、前記第１の反射面と第２の反射面とは円弧面に形成されることができる。
【０００９】
上記発光装置において、内部空間を内部に画成するように且つ前記内部空間と連通する開口を挟む一対の取付け端部を有するように形成された透明カバーを更に備え、前記支持座には前記透明カバーの前記一対の取付け端部に対応して該一対の取付け端部を受け入れる一対のスロットが形成されており、前記発光ユニット及び前記導光板は前記透明カバーに囲まれて前記内部空間内に収容されるように構成されることができる。
【００１０】
上記発光装置において、前記支持座は底壁と、互いに向き合うように該底壁から延伸す
る２つの側壁とを有することにより前記底壁と前記２つの側壁との間に収容空間を画成し、前記底壁と前記２つの側壁とは前記内部空間に配置され、前記導光板は前記２つの側壁により挟まれるように前記収容空間に配置されており、前記発光ユニットは、前記収容空間内に取付けられている回路基板を更に備え、前記発光素子は、前記回路基板に取付けられるように構成されることができる。
【００１１】
上記発光装置において、前記透明カバーから前記内部空間に向かって突起して前記導光板の前記第１の方向と直交する第２の方向における両側にそれぞれ連結して前記導光板を前記内部空間に保持する一対の連結プレートを更に備えるように構成されることができる。
【００１２】
上記発光装置において、前記一対の連結プレートはいずれも可撓性を持つ湾曲部を有するように構成されることができる。
【００１３】
上記発光装置において、前記支持座の一端部に取付けられているキャップ体と、前記キャップ体に固定されていると共に、スプリングアームを有する導電接続板と、前記導電接続板と電気的に接続していると共に、前記導電接続板及び前記キャップ体を挿通するように延伸する２つの導電端子と、を更に備え、前記発光ユニットは、前記発光素子が取付けられていると共に、前記導光板と所定のギャップを空けて配置されている回路基板を更に有しており、前記導電接続板が有する前記スプリングアームは前記所定のギャップ内に挿しこまれて前記回路基板に弾性的に当接して該回路基板に電気的に接続しているように構成されることができる。
【００１４】
上記発光装置において、前記スプリングアームは、それぞれ湾曲して前記回路基板と前記導光板とに弾性的に当接する第１の湾曲部と第２の湾曲部とを有するように形成されることができる。
【００１５】
上記発光装置において、前記第１の反射条と第２の反射条とは、前記導光板と共に押出成形で一体的に形成されることが好ましい。
【考案の効果】
【００１６】
上記構成により、従来の発光装置よりも輝度と発光の均一性が改善されているので、照明が必要とされる様々な分野、特にＬＥＤを用いる省エネルギー型照明に用いることができる。
【図面の簡単な説明】
【００１７】
【図１】第１の好ましい実施形態における発光装置の構成が示されている一部分解図である。
【図２】第１の好ましい実施形態における発光装置の構成が示されている断面図である。
【図３】第１の好ましい実施形態における発光装置が有する第１と第２の反射条の反射機能が示されている説明図である。
【図４】第２の好ましい実施形態における発光装置の構成が示されている一部分解図である。
【図５】第２の好ましい実施形態における発光装置の構成が示されている分解断面図である。
【図６】第２の好ましい実施形態における発光装置の構成が示されている断面図である。
【図７】第３の好ましい実施形態における発光装置の構成が示されている一部分解図である。
【図８】第３の好ましい実施形態における発光装置の構成が示されている一部断面図である。
【考案を実施するための形態】
【００１８】
以下では各図面を参照しながら、本考案の好ましい実施形態について詳しく説明する。
【００１９】
図１から図３に本考案の発光装置の第１の好ましい実施形態が示されており、図１は第１の好ましい実施形態における発光装置の一部分解図であり、図２は第１の好ましい実施形態における発光装置の断面図であり、図３は導光板及び第１の反射条、第２の反射条の効果が示されている説明図である。
【００２０】
図１から図３に示すように、本実施形態における発光装置は、支持座１と、導光板３１と、２本の第１の反射条３３と、発光ユニット２と、第２の反射条３２と、透明カバー４１とを備えている。なお、第１の反射条は、少なくとも１つ備えていればよい。
【００２１】
支持座１は、底壁１１と、底壁１１から延伸する複数の放熱フィン１３と、互いに向き合うように底壁１１から延伸し、且つ底壁１１と共に収容空間１０を画成する一対の側壁１２と、それぞれスロット１４０が形成されている一対の管状部１４とを有するように形成されている。
【００２２】
導光板３１は、所定の長さ方向Ｌに沿って延伸して一対の側壁１２の間に挟まれて支持座１により支持されている。また、導光板３１は互いに反対する光進入面３１１と光射出面３１２とを前記所定の長さ方向Ｌと直交する第１の方向Ｘに並ぶように支持座１により支持されていると共に、前記所定の長さ方向Ｌ及び前記第１の方向Ｘ両方とも直交する第２の方向Ｙにおいて互いに反対する一対の側面３１３を有している。
【００２３】
一対の第１の反射条３３は、導光板３１の光進入面３１１と一対の側面３１３とが接する箇所にそれぞれ導光板３１に埋め込まれており、そして各第１の反射条３３はそれぞれ光射出面３１２に向かう第１の反射面３３１を有している。
【００２４】
発光ユニット２は支持座１に支持されていると共に、第１の方向Ｘにおいて導光板３１と並ぶ回路基板２１と、導光板３１の光進入面３１１と隣接し、且つ第１の方向Ｘから見ると一対の第１の反射条３３の間で長さ方向Ｌに沿って並ぶように回路基板２１に取付けられている複数の発光素子２２とを備えている。なお、発光素子２２は少なくとも１つ備えていればよい。
【００２５】
また、回路基板２１は収容空間１０内に配置されており、そして各発光素子２２はいずれも発する光が光進入面３１１から光射出面３１２へ進行するように配置構成されている。
【００２６】
第２の反射条３２は、光射出面３１２に配置されていると共に、第１の方向Ｘから見た場合に一対の第１の反射条３３の間に位置するように導光板３１に埋め込まれている。また、第２の反射条３２は光進入面３１１及び一対の第１の反射条３３がそれぞれ有する第１の反射面３３１にそれぞれ向かう一対の第２の反射面３２１を有している。該一対の第２の反射面３２１は、光進入面３１１からの距離が、該一対の第２の反射面３２１が互いに接する辺縁において最も短く、そして該一対の第２の反射面３２１の互いに離間する辺縁において最も長くなっている屋根型の断面を有している。なお、第２の反射面３２１は、少なくとも１つ有していればよい。
【００２７】
更に、第２の反射条３２が有する一対の第２の反射面３２１と、一対の第１の反射条３
３がそれぞれ有する第１の反射面３３１との位置や形状については、複数の発光素子２２から発する光が光進入面３１１で導光板３１に進入した後、一対の第２の反射面３２１により２つの第１の反射面３３１にそれぞれ反射されてから、２つの第１の反射面３３１により反射されて光射出面３１２で射出されるように配置構成されている。
【００２８】
この実施形態において、光進入面３１１は平面である。一対の第１の反射面３３１は光進入面３１１に対して傾斜している。光射出面３１２は光進入面３１１と略平行する平面である。一対の第２の反射面３２１は光進入面３１１と光射出面３１２との両方とも間をあけて、それらの間に配置されていると共に、光射出面３１２に対して傾斜している。
【００２９】
透明カバー４１はその内部に内部空間４０を囲んで画成するように且つ内部空間４０と連通する開口を挟む一対の取付け端部４１１を有するように形成されたものであり、該一対の取付け端部４１１がそれぞれ支持座１に形成された一対のスロット１４０に嵌め込まれることによって支持座１に取付けられている。また、接着剤を用いて一対のスロット１４０に嵌め込まれる一対の取付け端部４１１を固定することも可能である。
【００３０】
支持座１に透明カバー４１が取付けられると、発光ユニット２と導光板３１と底壁１１と側壁１２とは透明カバー４１により囲まれ、即ち内部空間４０内に配置されるようになる。
【００３１】
ちなみに、透明カバー４１は、照明角度を広げることができる導光性能を持つプラスチック材料により形成されることが好ましい。
【００３２】
また、導光板３１及び第１の反射条３３と第２の反射条３２とは、共に押出成形で一体的に形成されることが好ましい。
【００３３】
導光板３１は例えばポリスチレン樹脂、ポリカーボネート樹脂、またはポリメタクリル酸メチル樹脂（ＰＭＭＡ）から選ばれたプラスチック材料で形成されることが好ましい。中でもＰＭＭＡ材料で導光板３１を形成することが特に好ましい。
【００３４】
第１の反射条３３と第２の反射条３２とは反射塗料（例えば二酸化チタン）と樹脂材料との混合物で形成されることが好ましい。ここで使用される樹脂材料としては、例えばポリスチレン樹脂と、ポリカーボネート樹脂と、ポリメタクリル酸メチル樹脂（ＰＭＭＡ）とから選ばれる材料が好ましい。そしてこの実施形態において、第１の反射条３３と第２の反射条３２とは、それぞれＰＭＭＡ樹脂を使用している。
【００３５】
図４〜図６に本考案の発光装置の第２の好ましい実施形態が示されている。この第２の好ましい実施形態における発光装置は第１の好ましい実施形態における発光装置と類似する構成になっているが、主に支持座１及び第１の反射条３３と第２の反射条３２と、そして支持座１と導光板３１と透明カバー４１との連結関係の構成が異なっている。
【００３６】
この実施形態において、導光板３１はその側面３１３で透明カバー４１から内部空間４０に向かって突起するように延伸する一対の連結プレート４２と接続し、該一対の連結プレート４２により透明カバー４１の内部空間４０内に保持されている。ここで、連結プレート４２は導光板３１及び透明カバー４１と共に押出成形で一体的に形成されることが好ましい。各連結プレート４２はそれぞれ透明カバー４１と導光板３１との間に可撓性を持って第２の方向Ｙで弾性的に変形することができる湾曲部４２１を有している。
【００３７】
また、透明カバー４１が有する１対の取付け端部４１１の間の開口４１３を広げてから該１対の取付け端部４１１を支持座１に形成された一対のスロット１４０に嵌め込ませる
ことによって、透明カバー４１及び導光板３１を支持座１に取り付けることができる。
【００３８】
更に、この実施形態において、第２の反射条３２は突起する円弧面に形成された第２の反射面３２１を１つ有する。また、各第１の反射面３３１もそれぞれ突起する円弧面に形成されている。支持座１には互いに向き合う１対のＵ字形取付け凹部１５０が形成され、回路基板２１は両端が該１対のＵ字形取付け凹部１５０にそれぞれ嵌め込まれて支持座１に取付けられている。
【００３９】
図７〜図８に本考案の発光装置の第３の好ましい実施形態が示されている。この第３の好ましい実施形態における発光装置は第２の好ましい実施形態における発光装置と類似する構成になっている。この実施形態において連結プレート４２は湾曲部４２１を有しておらず、そして光射出面３１２は透明カバー４１に向かって突起する円弧面に形成されており、これにより光を射出する角度が拡大される。また、この実施形態における発光装置は、更にキャップ体５２と、導電接続板５１と、２つの導電端子５３とを備えている。
【００４０】
キャップ体５２は円形底板５２１と、該円形底板５２１の周縁から突起すると共に、支持座１の前記所定の長さ方向Ｌにおける一端部１６に固定されている円管部５２２を有するように形成されている。導電接続板５１はキャップ体５２に固定されている固定板５１１と、固定板５１１から支持座１側へ延伸するスプリングアーム５１２とを有するように形成されている。一対の導電端子５３は、導電接続板５１と電気的に接続していると共に、導電接続板５１及びキャップ体５２の円形底板５２１を挿通するように延伸し、且つ電気を提供できる電源手段（図示せず）と電気的に接続することができるように構成されている。
【００４１】
また、この実施形態における発光ユニット２は、発光素子２２が取付けられていると共に、導光板３１とギャップ１００を空けて配置されている回路基板２１を有しており、導電接続板５１が有するスプリングアーム５１２はギャップ１００内に挿し込まれて回路基板２１に弾性的に当接して該回路基板２１に電気的に接続している。
【００４２】
さらにまた、図８に示されておるように、この実施形態においてギャップ１００内に挿し込まれるスプリングアーム５１２は、それぞれ湾曲して回路基板２１と導光板３１とに弾性的に当接する第１の湾曲部５１４と第２の湾曲部５１５とを有するように形成されている。
【００４３】
なお、本考案は、上記した実施形態に限定されず、考案の主旨を逸脱しない限り、上記した実施形態に対して当業者が思いつく範囲内の変更を施した各種変形例も本考案に含まれる。
【産業上の利用可能性】
【００４４】
上記構成により、本考案の発光装置は、第１の反射条３３と第２の反射条３２とを備えることによって、従来の発光装置よりも輝度と発光の均一性が改善されているので、照明が必要とされる様々な分野、特にＬＥＤを用いる省エネルギー型照明に用いることができる。
【符号の説明】
【００４５】
１  支持座
１０  収容空間
１００  ギャップ
１１  底壁
１２  側壁
１３  放熱フィン
１４  管状部
１４０  スロット
１５０  取付け凹部
１６  一端部
２  発光ユニット
２１  回路基板
２２  発光素子
３１  導光板
３１１  光進入面
３１２  光射出面
３１３  側面
３２  第２の反射条
３２１  第２の反射面
３３  第１の反射条
３３１  第１の反射面
４０  内部空間
４１  透明カバー
４１１  取付け端部
４２  連結プレート
４２１  湾曲部
５１  導電接続板
５１１  固定板
５１２  スプリングアーム
５１４  第１の湾曲部
５１５  第２の湾曲部
５２  キャップ体
５２１  底板
５２２  円管部
５３  導電端子
【図１】
0003186405.tif 000003
【図２】
0003186405.tif 000004
【図３】
0003186405.tif 000005
【図４】
0003186405.tif 000006
【図５】
0003186405.tif 000007
【図６】
0003186405.tif 000008
【図７】
0003186405.tif 000009
【図８】
0003186405.tif 000010